(57)【要約】【課題】載置面に載置される記録媒体を除電することができる記録装置を提供する。【解決手段】気体中にイオンを生成するイオナイザー２４、を有し、生成されたイオンを、記録媒体が載置される載置面に設けられた通気孔２９から吹き出すステージ部２と、載置面に載置された記録媒体に対し、記録を行う記録部とを備えた。ステージ部２は、一方の端部が通気孔２９に連なり、流路内でイオナイザー２４によりイオンが生成される通気流路３１と、通気流路３１の他方の端部に連なり、通気流路３１内に送風する給気状態と、通気流路３１内の気体を排気する排気状態と、を取り得るファン２１とをさらに有することが好ましい。【選択図】図３
2015182250.tif 000002
【特許請求の範囲】
【請求項１】
気体中にイオンを生成するイオン生成部を有し、記録媒体が載置される載置面に設けられた通気孔から前記イオンを吹き出すステージ部と、
前記載置面に載置された前記記録媒体に対し、記録を行う記録部と、
を備えたことを特徴とする記録装置。
【請求項２】
前記ステージ部は、前記通気孔から前記イオンを吹き出す吹出状態と、前記通気孔を通じて前記載置面に載置された前記記録媒体を吸引する吸引状態と、を取り得ることを特徴とする請求項１に記載の記録装置。
【請求項３】
前記ステージ部は、
前記通気孔に連なり、前記イオン生成部が設けられる通気流路と、
前記通気流路に連なり、前記通気流路内に送風する給気状態と、前記通気流路内の気体を排気する排気状態と、を取り得るファンと、
をさらに有することを特徴とする請求項２に記載の記録装置。
【請求項４】
前記イオン生成部は、前記通気流路のうち前記通気孔に連なる端部に設けられていることを特徴とする請求項３に記載の記録装置。
【請求項５】
前記載置面には、吸引孔がさらに設けられ、
前記ステージ部は、生成されたイオンを、前記通気孔から吹き出す吹出状態と、前記載置面に載置された前記記録媒体を、前記吸引孔を通じて吸引する吸引状態と、を取り得ることを特徴とする請求項１に記載の記録装置。
【請求項６】
前記ステージ部を前記吹出状態と前記吸引状態との間で切り替えるための操作を受け付ける操作部と、
前記操作部が受け付けた操作に基づいて、前記ステージ部を前記吹出状態と前記吸引状態との間で切り替える制御部と、
をさらに備えたことを特徴とする請求項２ないし５のいずれか一項に記載の記録装置。
【請求項７】
記録媒体が載置される載置面に通気孔が設けられたステージ部と、
前記載置面に載置された前記記録媒体に対し、記録を行う記録部と、を備えた記録装置において、
前記載置面に前記記録媒体が載置される際に、前記通気孔からイオンを吹き出すステップ、を実行することを特徴とする媒体除電方法。
【請求項８】
前記載置面に前記記録媒体が載置された後、前記載置面に載置された前記記録媒体を、前記通気孔を通じて吸引するステップ、をさらに実行することを特徴とする請求項７に記載の媒体除電方法。
【請求項９】
前記載置面から前記記録媒体を取り外す際に、前記通気孔からイオンを吹き出すステップ、をさらに実行することを特徴とする請求項７または８に記載の媒体除電方法。
【発明の詳細な説明】
【技術分野】
【０００１】
本発明は、ステージ部に載置された記録媒体に対して記録を行う記録装置および媒体除電方法に関するものである。
【背景技術】
【０００２】
従来、印刷対象である媒体が載置されるステージ部と、載置された媒体にインクを吐出する印刷ユニットとを備えたインクジェット記録装置が知られている（特許文献１参照）。
【先行技術文献】
【特許文献】
【０００３】
【特許文献１】特開２０１２−１７１３０４号公報
【発明の概要】
【発明が解決しようとする課題】
【０００４】
記録媒体がステージ部の載置面に載置される際に、記録媒体が載置面と擦り合わされることによって、記録媒体及び載置面のうち少なくとも一方が帯電する場合がある。記録媒体及び載置面のうち少なくとも一方が帯電すると、記録媒体を載置面に載置する際の作業性や、記録媒体を載置面から取り外す際の作業性を悪化させる要因となる。
また、載置面との摩擦等により、記録媒体の載置面と接する側の面が電荷を持つと、誘電分極により、記録媒体の反対側の面に対極の電荷が生じる場合がある。インクジェット方式の記録装置においては、インクが吐出される際に生じたインクミストが、記録媒体の載置面と接する側とは反対側の面、すなわちインクジェットヘッドと対向する面との間の静電斥力により、記録媒体に着弾することなく、インクジェットヘッドのノズル面に付着する場合がある。付着したインクミストは、インクジェットヘッドによるＵＶインクの吐出に障害を与えるおそれがある。
【０００５】
本発明は、上記した課題の少なくとも１つを解決するために、載置面に載置される記録媒体及び載置面のうち少なくとも一方を除電することができる記録装置および媒体除電方法を提供することを課題としている。
【課題を解決するための手段】
【０００６】
本発明の記録装置は、気体中にイオンを生成するイオン生成部、を有し、生成されたイオンを、記録媒体が載置される載置面に設けられた通気孔から載置面側に吹き出すステージ部と、載置面に載置された記録媒体に対し、記録を行う記録部と、を備えたことを特徴とする。
【０００７】
この構成によれば、ステージ部の載置面に設けられた通気孔から載置面側に吹き出されるイオンにより、載置面に載置される記録媒体を除電することができる。
【０００８】
この場合、ステージ部は、生成されたイオンを、通気孔から載置面側に吹き出す吹出状態と、載置面に載置された記録媒体を、通気孔を通じて吸引する吸引状態と、を取り得ることが好ましい。
【０００９】
この構成によれば、ステージ部が吹出状態になることで、載置面に載置される記録媒体を除電することができる。また、ステージ部が吸引状態になることで、載置面に載置された記録媒体を吸引することができる。
【００１０】
この場合、ステージ部は、一方の端部が通気孔に連なり、流路内でイオン生成部によりイオンが生成される通気流路と、通気流路の他方の端部に連なり、通気流路内に送風する給気状態と、通気流路内の気体を排気する排気状態と、を取り得るファンと、をさらに有することが好ましい。
【００１１】
この構成によれば、ファンが給気状態になると、通気流路内で生成されたイオンが通気孔に向けて送られるため、ステージ部が吹出状態になる。一方、ファンが排気状態になると、載置面に記録媒体が載置される際に、通気孔に吸引力が作用するため、ステージ部が吸引状態になる。このように、ファンが給気状態と排気状態との間で切り替わることで、ステージ部が吹出状態と吸引状態との間で切り替わる。
【００１２】
この場合、イオン生成部は、通気流路の一方の端部に設けられていることが好ましい。
【００１３】
この構成によれば、イオン生成部により生成されたイオンが、通気流路を構成する管壁に捕捉されてしまうことが抑制される。
【００１４】
この場合、載置面には、吸引孔がさらに設けられ、ステージ部は、生成されたイオンを、通気孔から載置面側に吹き出す吹出状態と、載置面に載置された記録媒体を、吸引孔を通じて吸引する吸引状態と、を取り得ることが好ましい。
【００１５】
この構成によれば、ステージ部が吹出状態になることで、載置面に載置される記録媒体を除電することができる。また、ステージ部が吸引状態になることで、載置面に載置された記録媒体を吸引することができる。
【００１６】
この場合、ステージ部を吹出状態と吸引状態との間で切り替えるための操作を受け付ける操作部と、操作部が受け付けた操作に基づいて、ステージ部を吹出状態と吸引状態との間で切り替える制御部と、をさらに備えたことが好ましい。
【００１７】
この構成によれば、ステージ部を吹出状態に切り替える操作を操作部が受け付けた場合に、制御部がステージ部を吹出状態に切り替え、また、ステージ部を吸引状態にする操作を操作部が受け付けた場合に、制御部がステージ部を吸引状態に切り替える。このため、操作部で操作を行うことで、適宜、ステージ部を吹出状態と吸引状態との間で切り替えることができる。
【００１８】
本発明の媒体除電方法は、記録媒体が載置される載置面に通気孔が設けられたステージ部と、載置面に載置された記録媒体に対し、記録を行う記録部と、を備えた記録装置において、載置面に記録媒体が載置される際に、通気孔から載置面側にイオンを吹き出すステップ、を実行することを特徴とする。
【００１９】
この構成によれば、ステージ部の載置面に設けられた通気孔から載置面側に吹き出されるイオンにより、載置面に載置される記録媒体を除電することができる。
【００２０】
この場合、載置面に記録媒体が載置された後、載置面に載置された記録媒体を、通気孔を通じて吸引するステップ、をさらに実行することが好ましい。
【００２１】
この構成によれば、載置面に記録媒体が載置された後、載置面に載置された記録媒体を吸引することができる。
【００２２】
この場合、載置面から記録媒体を取り外す際に、通気孔から載置面側にイオンを吹き出すステップ、をさらに実行することが好ましい。
【００２３】
この構成によれば、通気孔から載置面側に吹き出されるイオンにより、載置面から取り外される記録媒体を除電することができる。
【図面の簡単な説明】
【００２４】
【図１】本発明の一実施形態に係る記録装置の斜視図である。
【図２】記録部の正面図である。
【図３】ステージ部の構成図である。
【図４】ステージ部が通気孔からイオンを吹き出すことにより、記録媒体が除電される仕組みについて説明するための図である。
【図５】ステージ部の動作を示すフローチャートである。
【発明を実施するための形態】
【００２５】
以下、添付の図面を参照し、本発明の一実施形態に係る記録装置について説明する。この記録装置は、紫外線硬化型インク（以下「ＵＶインク」という。）をインクジェット方式で吐出することにより、記録媒体に画像を形成するものである。記録媒体としては、例えば、厚紙、プラスチック板、ガラス板、セラミック板などが用いられる。
なお、以下では、図に示した「上」「下」「左」「右」「前」「後」を用いて説明するが、これらの方向は説明の便宜上のものであり、本発明の実施に関しては、これらの方向に限定されることはない。また、左右方向を「Ｘ軸方向」ともいい、前後方向を「Ｙ軸方向」ともいう。
【００２６】
図１に示すように、記録装置１は、いわゆるフラットベッドタイプのものである。記録装置１は、記録媒体Ｍ（図４参照）が載置されるステージ部２と、ステージ部２に載置された記録媒体Ｍに対し、Ｙ軸方向（前後方向）に走査しながら記録を行う記録部３とを備えている。また、記録装置１は、図示省略したが、記録部３をＹ軸方向に移動させるＹ軸移動部を備えている。Ｙ軸移動部は、ステージ部２の下方に設けられている。
【００２７】
ステージ部２は、詳細は後述するが、４本の脚材４と、４本の脚材４に支持され前後に延在する左右２本の構造形材５と、２本の構造形材５間を渡すように設けられたテーブル部６と、テーブル部６の前方に設けられた操作パネル７とを備えている。操作パネル７には、非常用の停止ボタン８と、後述する３つの開閉レバー９と、ファン切替ボタン１１とが設けられている。
なお、ファン切替ボタン１１は、「操作部」の一例である。
【００２８】
図２に示すように、記録部３は、記録ユニット１２と、記録ユニット１２をＸ軸方向（左右方向）に移動させるＸ軸移動機構１３と、記録ユニット１２のＸ軸方向への移動をガイドする上下２本のＸ軸ガイド１４と、これらを覆ったカバー１５（図１参照）とを備えている。なお、Ｘ軸移動機構１３は、ベルト機構で構成されている。
【００２９】
記録ユニット１２は、吐出部１６と、吐出部１６の左右に設けられた紫外線照射部１７とを備えている。吐出部１６は、ステージ部２に載置された記録媒体Ｍに対して、ＵＶインクを吐出する。吐出部１６は、図示しないが、ＵＶインクを吐出するインクジェットヘッド（図示省略）を搭載し、インクジェットヘッドには、インクタンクからインク供給チューブを介してＵＶインクが供給される。各紫外線照射部１７は、記録媒体Ｍに着弾したＵＶインクに対して、紫外線を照射する。吐出部１６から吐出され、記録媒体Ｍに着弾したＵＶインクは、各紫外線照射部１７から照射された紫外線により硬化し、記録媒体Ｍに定着する。
【００３０】
記録装置１は、記録ユニット１２をＸ軸方向に移動させながら、ＵＶインクの吐出および紫外線の照射を行う処理と、改行処理、すなわち記録部３をＹ軸方向に移動させる処理と、を交互に行うことで、記録媒体Ｍの全面に対して、所望の画像を形成する。
【００３１】
図３に示すように、ステージ部２は、上述した左右２本の構造形材５と、テーブル部６と、操作パネル７とを備え、さらに、左側の構造形材５の後端に連なるファン２１と、左側の構造形材５の前端に連なるマニホールド２２と、マニホールド２２とテーブル部６の第１エリア３２ａ〜第３エリア３２ｃ（後述する）とを接続する３本の枝管２３と、３本の枝管２３にそれぞれ設けられた３つのイオナイザー２４と、ファン２１を制御する制御部２５とを備えている。ファン２１と構造形材５とは、第１接続管２６により接続され、構造形材５とマニホールド２２とは、第２接続管２７により接続されている。
なお、イオナイザー２４は、「イオン生成部」の一例である。
【００３２】
テーブル部６は、上面が開放された浅い箱状のボックス部（図示省略）と、ボックス部の上面を覆う載置プレート２８とを備えている。載置プレート２８の上面が、記録媒体Ｍが載置される載置面２８ａ（図４参照）となる。載置プレート２８は、例えばアルマイト加工が為されたアルミ製のパンチングメタルで構成されており、載置プレート２８には、円形の通気孔２９が縦横に複数形成されている。載置プレート２８およびボックス部は、ファン２１に連なるチャンバー（図示省略）を構成している。
【００３３】
チャンバーは、枝管２３、マニホールド２２、第２接続管２７、左側の構造形材５および第１接続管２６を介して、ファン２１と接続されている。すなわち、枝管２３、マニホールド２２、第２接続管２７、左側の構造形材５および第１接続管２６により、通気流路３１が構成されている。通気流路３１は、一方の端部が通気孔２９に連なり、他方の端部がファン２１に連なっている。
【００３４】
左右の構造形材５は、断面方形の鋼管から成り、テーブル部６を支持している。また、左側の構造形材５は、後端が第１接続管２６を介してファン２１と連なり、前端が第２接続管２７を介してマニホールド２２と連なっている。３本の枝管２３は、例えば、アルミ製フレキシブルダクトで構成されている。３本の枝管２３は、テーブル部６の下方に設けられ、後述する第１エリア３２ａから第３エリア３２ｃとマニホールド２２とをそれぞれ接続している。
【００３５】
イオナイザー２４は、例えば、コロナ放電式のパルスＡＣ（交流）タイプのものである。イオナイザー２４は、各枝管２３の通気孔２９側の端部に設けられている。イオナイザー２４は、通気流路３１内の空気や水蒸気等の気体をイオン化し、通気流路３１内にイオンを生成する。イオナイザー２４により生成されたイオンは、ファン２１からの送風により、通気孔２９に向けて送られる。
【００３６】
イオナイザー２４が、各枝管２３の通気孔２９側の端部に設けられていることで、イオナイザー２４により生成されたイオンが、枝管２３の管壁等、通気流路３１を構成する管壁に捕捉されてしまうことが抑制される。また、イオナイザー２４が、各枝管２３の通気孔２９側の端部に設けられていることで、イオナイザー２４がプラスイオンおよびマイナスイオンを生成する場合に、生成されたプラスイオンとマイナスイオンとが、通気孔２９に達するまでに、互いに中和してしまうことが抑制される。このため、ステージ部２は、生成されたイオンを、通気孔２９から載置面２８ａ側へ効率良く吹き出すことができる。もちろん、イオナイザー２４の配置箇所は、これに限定されるものではなく、例えば、マニホールド２２よりもファン２１側に設けてもよく、この場合には、イオナイザー２４は１つで済む。
【００３７】
なお、本実施形態における「イオン」とは、原子や分子が正または負の電荷を持った状態のことだけでなく、正または負の電荷を持った状態の原子や分子そのものを含む表現である。「イオンを生成する」とは、「正または負の電荷を持った状態の原子や分子を生成する」ことを含む表現である。同様に、「イオンを吹き出す」とは、「正または負の電荷を持った状態の原子や分子を吹き出す」ことを含む表現である。
【００３８】
ファン２１は、例えば軸流ファンであり、回転方向が正逆切り替わることで、通気流路内に送風する給気状態と、通気流路内の空気を排気する排気状態とを取り得る。ファン２１の回転方向、つまり給気状態と排気状態とは、操作パネル７に設けられたファン切替ボタン１１により切り替えられる。また、制御部２５は、ファン切替ボタン１１が受け付けた操作に基づいて、ファン２１の回転方向を切り替える。例えば、制御部２５は、ファン切替ボタン１１が押されるたびに、ファン２１の回転方向を正逆切り替える。
なお、ファン２１は、図示しないファン駆動スイッチにより、ＯＮ／ＯＦＦが切替えられる。
【００３９】
ファン２１が正逆一方に回転し給気状態になると、通気流路３１内で生成されたイオンが通気孔２９に向けて送られるため、ステージ部２が、複数の通気孔２９からイオンを吹き出す吹出状態となる。一方、ファン２１が正逆他方に回転し排気状態になると、載置面２８ａに記録媒体Ｍが載置された際に、チャンバー内が負圧となり、通気孔２９に吸引力が作用するため、ステージ部２が、載置面２８ａに載置された記録媒体Ｍを複数の通気孔２９を通じて吸引する吸引状態となる。このように、ファン２１が給気状態と排気状態との間で切り替わることで、ステージ部２が吹出状態と吸引状態との間で切り替わる。ファン切替ボタン１１は、ステージ部２を吹出状態と排気状態との間で切り替えるための操作を受け付ける。
なお、ステージ部２を吹出状態と吸引状態との間で切り替える構成としては、これに限定されるものではなく、例えば、図示しないが、通気流路３１内に送風する給気手段と、通気流路３１内の空気を排気する排気手段とを備え、給気手段と排気手段とを選択的に駆動する構成であってもよい。
【００４０】
載置プレート２８およびボックス部により構成されるチャンバーは、載置プレート２８とボックス部との間に設けられたシール材（図示省略）により、第１エリア３２ａ、第２エリア３２ｂおよび第３エリア３２ｃの３つのエリアに区画されている。第１エリア３２ａ、第２エリア３２ｂおよび第３エリア３２ｃは、３本の枝管２３により、それぞれマニホールド２２と接続されている。
【００４１】
マニホールド２２は、操作パネル７に内蔵されている。マニホールド２２と各枝管２３との間には、開閉バルブ３３が設けられている。各開閉バルブ３３を開閉操作するための開閉レバー９は、上述したように、操作パネル７上に設けられている。開閉レバー９により開閉バルブ３３を開閉操作することで、第１エリア３２ａ、第２エリア３２ｂおよび第３エリア３２ｃが、ファン２１に対し、連通状態と非連通状態との間で個々に切り替えられる。オペレーターは、記録媒体Ｍのサイズに応じて、第１エリア３２ａから第３エリア３２ｃのうち、記録媒体Ｍが載置されるエリアのみが、ファン２１と連通状態となるように、開閉レバー９を操作する。これにより、ステージ部２は、吹出状態において、第１エリア３２ａから第３エリア３２ｃのうち必要なエリアのみ、通気孔２９からイオンを吹き出し、また、吸引状態において、記録媒体Ｍが載置されていないエリアの通気孔２９から、無駄に空気を吸引することが抑制される。
【００４２】
図４を参照して、ステージ部２が通気孔２９からイオンを吹き出すことにより、記録媒体Ｍが除電される仕組みについて説明する。
記録媒体Ｍが載置面２８ａに載置される際には、例えば、記録媒体Ｍの下面が、載置面２８ａに対して擦られることにより、記録媒体Ｍが帯電する。ここで、記録媒体Ｍがアクリル板である場合には、載置面２８ａを有する載置プレート２８がアルミ製であることから、帯電列により、記録媒体Ｍの下面がプラスに帯電する（図４（ａ）参照）。
【００４３】
記録媒体Ｍが載置面２８ａに載置される際に、記録媒体Ｍが帯電すると、オペレーターが、記録媒体Ｍの載置位置を微調整することが困難となり、また、記録部３による記録後、記録媒体Ｍを載置面２８ａから取り外すことが困難となる。
【００４４】
また、上記のように、記録媒体Ｍの下面がプラスに帯電すると、絶縁体（アクリル板）である記録媒体Ｍの内部で誘電分極し、記録媒体Ｍの上面、つまりインクジェットヘッドと対向する面は、マイナスに帯電する。一方、上述した吐出部１６から吐出されるＵＶインクについても、インク供給チューブとの摩擦により帯電している。そのため、吐出部１６からＵＶインクが吐出される際に生じたインクミストが、記録媒体Ｍのインクジェットヘッドと対向する面との間の静電斥力により、記録媒体Ｍに着弾することなく、インクジェットヘッドのノズル面に付着する場合がある。付着したインクミストは、インクジェットヘッドによるＵＶインクの吐出に障害を与えるおそれがある。このような静電気力によるインクミストのノズル面への付着が防止され、吐出部１６が安定してＵＶインクを吐出するためには、記録媒体Ｍの表面電位が、例えば−３００Ｖ〜＋３００Ｖの範囲内にある必要があるが、上述したように摩擦帯電等により帯電した記録媒体Ｍの表面電位は、例えば１０ｋＶにもなり、この範囲をはるかに超えてしまう。
【００４５】
これに対し、記録装置１では、上述したように、ステージ部２が、通気孔２９からイオンを載置面２８ａ側に吹き出すことができる。このため、記録媒体Ｍが載置面２８ａに載置される際に、記録媒体Ｍの下面がプラスに帯電したとしても、ステージ部２の通気孔２９から吹き出されるイオンに含まれるマイナスイオンにより、記録媒体Ｍの下面に生じたプラス電荷が中和される（図４（ｂ）参照）。これにより、載置面２８ａに載置される記録媒体Ｍが除電される（図４（ｃ）参照）。しかも、ステージ部２が、記録媒体Ｍのサイズと同等かそれよりも広いエリアにおいてイオンを吹き出すことで、イオナイザー２４が記録媒体Ｍ上を走査する場合に比べ、記録媒体Ｍの全体を一気に除電することができる。なお、この記録媒体Ｍの下面がプラスに帯電している場合、イオナイザー２４は、マイナスイオンのみを生成してもよく、マイナスイオンおよびプラスイオンの双方を生成してもよい。このように、載置面２８ａに載置される記録媒体Ｍが除電されることで、記録媒体Ｍを載置面２８ａに載置する際の作業性を確保することができ、また、吐出部１６が安定してＵＶインクを吐出することができる。
なお、記録媒体Ｍが帯電する態様としては、上述した載置面２８ａとの摩擦帯電だけでなく、例えば、記録媒体Ｍがオペレーターの手などにより擦られることで帯電する場合もあり、記録媒体Ｍがアクリル板等の保護フィルム付きのものである場合には、記録媒体Ｍから保護フィルムを剥がすことで帯電する場合もある。
【００４６】
なお、本実施形態における「除電」とは、除電対象物の除電後の帯電量（表面電位や放電電荷量等）が、完全に０となることだけではなく、除電前に比べて帯電量が減少していることを含む表現である。
【００４７】
図５を参照して、ステージ部２の動作について説明する。
まず、ステージ部２に記録媒体Ｍが載置される前に、記録媒体Ｍのサイズに応じて、第１エリア３２ａから第３エリア３２ｃのうち、記録媒体Ｍが載置されるエリアのみが、ファン２１と連通状態となるように、オペレーターにより開閉レバー９が操作される（Ｓ１）。なお、開閉レバー９の操作は、次のファン駆動スイッチの操作の後に行ってもよい。
【００４８】
続いて、オペレーターは、ファン駆動スイッチをＯＮにする。これにより、ファン２１が回転を始める。このとき、ファン２１は、給気状態を取るようになっており、これにより、ステージ部２が通気孔２９からイオンを載置面２８ａ側に吹き出す（Ｓ２）。なお、仮に、ファン２１が排気状態となっている場合は、オペレーターは、ファン切替ボタン１１を操作し、ファン２１を給気状態に切り替える。
【００４９】
この状態で、オペレーターにより、記録媒体Ｍが載置面２８ａに載置される（Ｓ３）。載置面２８ａに載置される記録媒体Ｍは、通気孔２９から載置面２８ａ側に吹き出されるイオンにより除電される。このため、記録媒体Ｍを載置面２８ａに載置する際の作業性を確保することができる。
【００５０】
続いて、オペレーターは、ファン切替ボタン１１を操作する。これに伴い、ファン２１が排気状態に切り替わり、ステージ部２が載置面２８ａに載置された記録媒体Ｍを通気孔２９を通じて吸引する（Ｓ４）。これにより、記録媒体Ｍが載置面２８ａに吸着するため、記録媒体Ｍを反りのない状態とすることができる。
【００５１】
続いて、オペレーターは、記録開始ボタン（図示省略）を操作する。これにより、ステージ部２に載置された記録媒体Ｍに対し、記録部３が記録処理を実行する（Ｓ５）。このとき、記録媒体Ｍが除電されているため、吐出部１６が安定してＵＶインクを吐出することができる。
【００５２】
記録処理の終了後、オペレーターは、ファン切替ボタン１１を操作する。これに伴い、ファン２１が給気状態に切り替わり、ステージ部２が通気孔２９からイオンを載置面２８ａ側に吹き出す（Ｓ６）。
【００５３】
この状態で、オペレーターにより、記録媒体Ｍが載置面２８ａから取り外される（Ｓ７）。載置面２８ａから取り外される記録媒体Ｍは、通気孔２９から載置面２８ａ側に吹き出されるイオンにより除電される。このため、記録媒体Ｍと載置面２８ａとの剥離帯電により、静電気放電が生じることを抑制することができる。このように、記録媒体Ｍを載置面２８ａから取り外す際にも、ステージ部２が通気孔２９からイオンを吹き出すことが有効である。また、通気孔２９から載置面２８ａ側に吹き出される空気により、記録媒体Ｍが載置面２８ａから僅かに浮いた状態となるため、載置面２８ａから記録媒体Ｍを取り外す際の作業性を向上させることができる。
【００５４】
以上のように、本実施形態の記録装置１によれば、載置面２８ａに載置される記録媒体Ｍを除電することができる。なお、本実施形態は、通気孔２９からイオンを吹き出すと共に、通気孔２９を通じて記録媒体Ｍを吸引する構成であるが、これに限定されるものではなく、例えば、図示しないが、載置プレート２８に、通気孔２９とは別に、吸引孔を設け、吸引孔を通じて記録媒体Ｍを吸引する構成であってもよい。この場合、記録装置１は、通気孔２９に連なる送風手段と、吸引孔に連なる吸引手段とを備えることが好ましい。吸引手段としては、本実施形態のファン２１のほか、例えば真空ポンプを用いることも可能である。
【００５５】
なお、記録部としては、特に限定されるものではないが、例えば、インクジェット方式により記録を行うものを用いることができる。この場合、インクを吐出するインクジェットヘッドを、記録媒体に対して略直交する２方向に相対移動させるシリアル方式のものでもよく、インクジェットヘッドを記録媒体に対して１方向に相対移動させるライン方式のものでもよい。インクとしては、例えば、一般的な水性インクや油性インクのほか、Ｘ線、紫外線、可視光線、赤外線等の電磁波の照射により硬化する電磁波硬化型インクを用いることができる。
また、イオン生成部としては、例えば、イオナイザーを用いることができる。イオナイザーとしては、コロナ放電式、Ｘ線照射式など、各種方式のものを用いることができる。
【符号の説明】
【００５６】
１：記録装置、２：ステージ部、３：記録部、２４：イオナイザー、２９：通気孔、Ｍ：記録媒体
【図１】
2015182250.tif 000003
【図２】
2015182250.tif 000004
【図３】
2015182250.tif 000005
【図４】
2015182250.tif 000006
【図５】
2015182250.tif 000007